(57)【要約】【課題】盛土の圧密沈下によるコンクリート壁面、及び、連結部材、盛土補強部材への負荷を軽減可能な盛土補強構造、及び、盛土補強方法を提供する。【解決手段】連結部材２２は、先端側に環状の引掛部２２Ｒを有する複数本の縦棒部２２Ａと、複数本の縦棒部２２Ａを連結する横棒部２２Ｂとを備えている。縦棒部２２Ａは、盛土部１４の法面側から２枚の法面補強枠２０の法面補強面２０Ａの網目部分に挿通されている。引掛部２２Ｒは、盛土補強部材２４の網目に下側から挿入して上側へ突出させ、この状態で引掛部２２Ｒに引掛棒２３を串刺すように挿通する。これにより、盛土補強部材２４は、網目幅の範囲であそびを持った状態で連結部材２２に取り付けられる。  アンカー部材２６は、棒状とされ、両端部が略直角に折り曲げられている。アンカー部材２６の一端側は、鉄筋１２Ａに係合され、他端は盛土補強部材２４の網目に上側から挿入され、盛土中に差し込まれる。【選択図】図２
2009121086.tif 000002
【特許請求の範囲】
【請求項１】
盛土の法面に沿った法面補強面と水平方向に沿った水平面とを有し、盛土の法面に沿って積層される複数の法面補強枠と、
前記盛土中に水平方向に敷設される盛土補強部材と、
１の前記法面補強枠とこの法面補強枠の上側に隣接して配置される他の法面補強枠とを連結すると共に前記盛土補強部材が取り付けられる連結部材と、
前記法面補強枠の前記法面補強面の外側に沿って配置されるコンクリート壁面と、
前記法面補強枠の前記法面補強面に挿通されると共に、一端が前記コンクリート壁面内に固定され、他端が前記盛土中へ埋設されるアンカー部材と、
を備えた盛土補強構造。
【請求項２】
前記盛土補強部材は網目状とされ、前記連結部材は前記盛土補強部材の網目内に挿通される環状の引掛部、及び、複数の前記引掛部の環状内へ挿通される引掛棒、を含んで構成されていること、を特徴とする請求項１に記載の盛土補強構造。
【請求項３】
盛土の法面に沿った法面補強面と水平方向に沿った水平面とを有する１の法面補強枠の上側に他の法面補強枠を配置して前記１の法面補強枠と他の法面補強枠とを連結部材で連結すると共に、盛土補強部材を敷設してこの盛土補強部材を前記連結部材へ取り付ける盛土補強部材敷設工程と、
アンカー部材の一端を前記法面補強枠の外側へ突出させ、他端を前記法面補強枠の内側に配置する、アンカー部材配置工程と、
前記盛土補強部材上に盛土材を積層する盛土材積層工程と、
を繰り返して複数の前記盛土補強部材を盛土中に埋設させて盛土部を形成する盛土部形成工程と、
前記盛土部形成工程により盛土部が形成された後に、前記法面補強枠の前記法面補強面の外側に沿ってコンクリート壁面を形成して、前記アンカー部材の一端をこのコンクリート壁面内に固定するコンクリート壁面形成工程と、
を有する盛土補強方法。
【発明の詳細な説明】
【技術分野】
【０００１】
本発明は、コンクリートの壁面を備えた盛土補強構造、及び、盛土補強方法に関するものである。
【背景技術】
【０００２】
従来から、盛土の崩壊を防ぐために、各種の盛土補強構造が採用されている。特に、網目状の盛土補強部材を盛土内に配置する盛土補強構造は、盛土の安定性に優れているため、数多く施工されている。その一例として、ジオテキスタイルと呼ばれる網目状の盛土補強部材を盛土の間に水平方向に敷いて盛土を補強するものがある。この補強構造においては、通常、特許文献１に記載されているように、壁面のコンクリートを先に打ち込み、その後で連結部材を用いて盛土補強部材を敷設しつつ盛土を行うか、特許文献２に記載されているように、盛土補強部材を敷設しつつコンクリートブロックを順次積み重ねながら、盛土を行う。
【０００３】
しかしながら、特許文献１、２に記載のように盛土を行うと、土砂を積層していくことにより盛土部分に圧密沈下が発生する。土砂部分はコンクリートの壁面を擦りながら沈下すると共に、盛土補強部材の連結部分にも沈下方向へ無理な力が加わり、不具合が生じる場合がある。
【特許文献１】特開２００５−６８８９７号公報
【特許文献２】特開２００５−１１３５４３号公報
【発明の開示】
【発明が解決しようとする課題】
【０００４】
本発明は上記事実を考慮してなされたものであり、盛土の圧密沈下によるコンクリート壁面、及び、連結部材、盛土補強部材への負荷を軽減可能な盛土補強構造、及び、盛土補強方法を提供することを課題とする。
【課題を解決するための手段】
【０００５】
上記課題を解決するために、請求項１に記載の盛土補強構造は、盛土の法面に沿った法面補強面と水平方向に沿った水平面とを有し、盛土の法面に沿って積層される複数の法面補強枠と、前記盛土中に水平方向に敷設される盛土補強部材と、１の前記法面補強枠とこの法面補強枠の上側に隣接して配置される他の法面補強枠とを連結すると共に前記盛土補強部材が取り付けられる連結部材と、前記連結部材に取り付けられ、盛土中に水平方向に敷設される盛土補強部材と、前記法面補強枠の前記法面補強面の外側に沿って配置されるコンクリート壁面と、前記法面補強枠の前記法面補強面に挿通されると共に、一端が前記コンクリート壁面内に固定され、他端が前記盛土中へ埋設されるアンカー部材と、を備えている。
【０００６】
本発明の盛土補強構造では、コンクリート壁面と盛土とはアンカー部材によって連結されている。アンカー部材は、法面補強枠の法面補強面に挿通されているのみであり、連結部材との係合などは不要である。したがって、盛土の圧密沈下が生じても、法面補強枠、連結部材、盛土補強部材は容易に沈下方向へ移動することができる。また、アンカー部材の盛土中に埋設された他端側は容易に沈下方向へ追随して移動することができる。したがって、盛土の圧密沈下による負荷を軽減することができる。
【０００７】
請求項２に記載の盛土補強構造は、前記盛土補強部材が網目状とされ、前記連結部材は、前記盛土補強部材の網目内に挿通される環状の引掛部、及び、複数の前記引掛部の環状内へ挿通される引掛棒、を含んで構成されていること、を特徴とする。
【０００８】
上記構成の連結部材により、容易に盛土補強部材を連結させることができる。
【０００９】
請求項３に記載の盛土補強方法は、盛土の法面に沿った法面補強面と水平方向に沿った水平面とを有する１の法面補強枠の上側に他の法面補強枠を配置して前記１の法面補強枠と他の法面補強枠とを連結部材で連結すると共に、盛土補強部材を敷設してこの盛土補強部材を前記連結部材へ取り付ける盛土補強部材敷設工程と、アンカー部材の一端を前記法面補強枠の外側へ突出させ、他端を前記法面補強枠の内側に配置する、アンカー部材配置工程と、
【００１０】
前記盛土補強部材上に盛土材を積層する盛土材積層工程と、を繰り返して複数の前記盛土補強部材を盛土中に埋設させて盛土部を形成する盛土部形成工程と、前記盛土部形成工程により盛土部が形成された後に、前記法面補強枠の前記法面補強面の外側に沿ってコンクリート壁面を形成して、前記アンカー部材の一端をこのコンクリート壁面内に固定するコンクリート壁面形成工程と、を有している。
【００１１】
本発明の盛土補強方法では、盛土形成工程により盛土部が形成された後にコンクリート壁面が形成される。したがって、盛土部の圧密沈下がある程度落ち着いた後に、コンクリート壁面を形成することにより、盛土部がコンクリート壁面に負荷を加えながら沈下することを抑制することができる。
【発明の効果】
【００１２】
本発明は、上記構成としたので、盛土の圧密沈下によるコンクリート壁面、及び、連結部材、盛土補強部材への負荷を軽減することができる。
【発明を実施するための最良の形態】
【００１３】
本実施形態の盛土補強構造１０は、盛土に沿ってコンクリート壁面が形成される盛土補強構造に用いられるものであり、図１及び図２に示すように、コンクリート壁１２、法面補強枠２０、連結部材２２、盛土補強部材２４、アンカー部材２６、を備えている。
【００１４】
コンクリート壁１２は、盛土の行われる盛土部１４の法面の外側に沿って形成され、盛土部１４と逆側の面で盛土補強構造１０の端面を構成している。コンクリート壁１２内には、水平方向に複数本の鉄筋１２Ａが配置され、鉛直方向にも複数本の鉄筋１２Ｂが配置されている。
【００１５】
法面補強枠２０は、盛土部１４の法面に沿った法面補強面２０Ａと、水平方向に沿った水平面２０Ｂとを有し、側方からみて略Ｌ字状とされている。法面補強枠２０は、法面補強面２０Ａが盛土部１４の法面に沿い、かつ、水平面２０Ｂが盛土材Ｄ上に載置されるように、他の法面補強枠２０の上側に配置されている。隣接する上下の法面補強枠２０は、法面補強面２０Ａが一部重なり合うように配置され、双方の法面補強面２０Ａに１の連結部材２２が挿通されている。法面補強枠２０には、法面補強面２０Ａと水平面２０Ｂとに架けわたされるテンションバー２１が設けられている。テンションバー２１は、両端部が鈎状とされており、法面補強面２０Ａと水平面２０Ｂとに各々係合されて取り付けられ、法面補強枠２０の強度を補強している。
【００１６】
法面補強枠２０としては、各種の網部材、例えば、メッキ又は樹脂コーティング等を行って製造された溶接金属、線材の交差部分をねじり合わせ状に接続することにより構成した亀甲金網、ひし形金網、エキスパンドメタルなどの金網類、クレーチング等の各種格子部材を用いることができる。なお、強度面や自立性を考慮して、エキスパンドメタルをＬ字状に折り曲げて法面補強枠２０とすることが好ましい。
【００１７】
盛土補強部材２４は、いわゆるジオグリッドと呼ばれるシート状の部材であり、網目状とされている。網目穴は長尺形状とされており、長手方向が法面と直交する方向に配置され、一端辺が法面補強枠２０のＬ字の屈曲辺に沿うようにして盛土中に敷設されている。盛土補強部材２４としては、表面に凹凸を有し土中の引抜抵抗が高い形状のものを用いることが好ましい。
【００１８】
連結部材２２は、先端側に環状の引掛部２２Ｒを有する複数本の縦棒部２２Ａと、この複数本の縦棒部２２Ａを連結する横棒部２２Ｂとを備えている。縦棒部２２Ａは、盛土部１４の法面側から２枚の法面補強枠２０の法面補強面２０Ａの網目部分に挿通され、引掛部２２Ｒが盛土部１４の内側へ突出されている。引掛部２２Ｒは、さらに盛土補強部材２４の網目穴２４Ｈに下側から挿入されて上側へ突出している。この状態で引掛部２２Ｒのループ内に、引掛棒２３が串刺すように挿通されている。これにより、盛土補強部材２４は、網目穴２４Ｈの長手方向の範囲内であそびを持った状態で連結部材２２に取り付けられる。
【００１９】
アンカー部材２６は、棒状とされ、両端部が略直角に折り曲げられている。アンカー部材２６の一端側は、鉄筋１２Ａに係合され、他端は盛土補強部材２４の網目に上側から挿入され、盛土中に差し込まれる。
【００２０】
次に、本実施形態の盛土補強構造１０を施工する手順について説明する。
【００２１】
盛土補強構造１０は、法面補強枠２０の内側に盛土材Ｄを敷設し、その上に盛土補強部材２４を敷設する、という手順を繰り返して、所望の高さの盛土部１４構成することにより行われる。
【００２２】
まず、図４に示すように、盛土材Ｄの上に法面補強枠２０を載置する。法面補強枠２０は、法面補強面２０Ａが盛土部１４の法面に沿うように配置すると共に、既に設置されている下側の法面補強枠２０の法面補強面２０Ａの上端部内側と重なり合うように配置する。
【００２３】
次に、図５に示すように、連結部材２２を取り付ける。連結部材２２は、引掛部２２Ｒ側から２枚の法面補強枠２０の法面補強面２０Ａが重ねられた部分に挿通させる。そして、図６に示すように、盛土補強部材２４を敷設する。盛土補強部材２４は、図３に示すように、網目穴２４Ｈの長尺方向が法面と直交する方向に向け、端辺を法面補強枠２０の屈曲部に沿わせて配置する。次に、連結部材２２の引掛部２２Ｒを盛土補強部材２４の網目穴２４Ｈに下側から挿通させて盛土補強部材２４の上側に突出させる。そして、図７に示すように、法面に沿って並ぶ複数の引掛部２２Ｒに引掛棒２３を挿通する。これにより、連結部材２２を介して、盛土補強部材２４と法面補強枠２０とが連結される。
【００２４】
なお、盛土補強部材２４の他端側は、不図示のアンカーにより地盤に固定されている。テンションバー２１は、一端を法面補強枠２０の法面補強面２０Ａに係合させ、他端を水平面２０Ｂに係合させて配置する。
【００２５】
次に、図８に示すように、アンカー部材２６を配置する。アンカー部材２６は、端部の折曲部を下向きにして、一端側を鉄筋１２Ａに係合させ、他端側を盛土補強部材２４の網目穴２４Ｈから下側へ挿通させて盛土材Ｄ内へ固定する。そして、盛土補強部材２４の上に所定の高さに盛土材Ｄを積層する。
【００２６】
以上のようにして、１サイクルの、盛土補強部材敷設工程−アンカー部材配置工程−盛土材積層工程、が完了する。盛土部１４の全体が所望の高さとなるように、前述の工程を繰り返し、盛土部形成工程が完了する。盛土部形成工程の終了後は、盛土の圧密沈下が充分に進行して落ち着き、以降の沈下が抑制されるまで待機する。
【００２７】
この時点（コンクリート壁１２の形成前）で盛土部１４が圧密沈下しても、法面補強枠２０、連結部材２２、及び盛土補強部材２４は、一体となって沈下方向へ移動し、また、アンカー部材２６は、一端部が鉄筋１２Ａと係合されているだけなので、他端部は容易に沈下方向へ移動することができる。したがって、これらの部材に圧密沈下に起因する負荷がかかることを抑制することができる。
【００２８】
その後、図４〜図８の二点鎖線で示す部分を枠で囲ってコンクリートを打ち込み、コンクリート壁１２を形成する。これにより、アンカー部材２６の一端部がコンクリート壁１２内に固定される。このように、圧密沈下が落ち着いた後にコンクリート壁１２を形成することにより、盛土部１４がコンクリート壁１２の壁面に負荷を加えながら沈下することを抑制することができる。
【００２９】
以上説明したように、本実施形態の盛土補強構造１０によれば、盛土部１４の圧密沈下によって、連結部材２２、盛土補強部材２４、法面補強枠２０、及び、コンクリート壁１２に対して、過大な負荷がかかることを抑制することができる。
【図面の簡単な説明】
【００３０】
【図１】本実施形態の盛土補強構造に用いられる構成部材の分解斜視図である。
【図２】本実施形態の盛土補強構造の一部側断面図である。
【図３】本実施形態の盛土補強構造の構成部材が組み付けられた状態を示す一部斜視図である。
【図４】本実施形態の盛土補強構造を敷設する工程において、盛土材上に法面補強枠を載置した状態を示す図である。
【図５】本実施形態の盛土補強構造を敷設する工程において、法面補強枠へ連結部材を挿通させた状態を示す図である。
【図６】本実施形態の盛土補強構造を敷設する工程において、連結部材の引掛部へ盛土補強部材を引っ掛けた状態を示す図である。
【図７】本実施形態の盛土補強構造を敷設する工程において、連結部材へ盛土補強部材を取付けた状態を示す図である。
【図８】本実施形態の盛土補強構造を敷設する工程において、アンカー部材を配置した状態を示す図である。
【符号の説明】
【００３１】
１０   盛土補強構造
１２   コンクリート壁
１４   盛土部
２０   法面補強枠
２０Ｂ 水平面
２０Ａ 法面補強面
２２Ｒ 引掛部
２２Ｂ 横棒部
２２Ａ 縦棒部
２２   連結部材
２３   引掛棒
２４   盛土補強部材
２６   アンカー部材
【図１】
2009121086.tif 000003
【図２】
2009121086.tif 000004
【図３】
2009121086.tif 000005
【図４】
2009121086.tif 000006
【図５】
2009121086.tif 000007
【図６】
2009121086.tif 000008
【図７】
2009121086.tif 000009
【図８】
2009121086.tif 000010